(57)【要約】【課題】ガンマ補正処理が施されたカメラモジュールであっても、解像度の精度を低下させることなく検査可能な解像度検査装置。【解決手段】複数の解像度検査用パターンを有する解像度検査用チャートと、  検査すべきカメラモジュールにより撮像されガンマ補正処理が施された前記解像度検査用チャートの画像に対し、解像度を算出する制御装置と、  を備えた解像度検査装置であって、  前記制御装置は、前記画像に対しガンマ値が略１．０になるように逆ガンマ補正処理を施した後に解像度を算出することを特徴とする。【選択図】図１
2012010132.tif 000002
【特許請求の範囲】
【請求項１】
複数の解像度検査用パターンを有する解像度検査用チャートと、
検査すべきカメラモジュールにより撮像されガンマ補正処理が施された前記解像度検査用チャートの画像に対し、解像度を算出する制御装置と、
を備えた解像度検査装置であって、
前記制御装置は、前記画像に対しガンマ値が略１．０になるように逆ガンマ補正処理を施した後に解像度を算出することを特徴とする解像度検査装置。
【請求項２】
複数の解像度検査用パターンを有する解像度検査用チャートと、
検査すべきカメラモジュールにより撮像されガンマ補正処理が施された前記解像度検査用チャートの画像に対し、解像度を算出する制御装置と、
を備えた解像度検査装置であって、
前記解像度検査用チャートは、ガンマ補正処理により非線形にならずに略線形を保つ前記画像の輝度領域に相当する輝度領域を設けた解像度検査用パターンを有することを特徴とする解像度検査装置。
【請求項３】
前記解像度検査用チャートは少なくとも階調検査用パターンを有することを特徴とする請求項１又は請求項２に記載の解像度検査装置。
【請求項４】
前記制御装置は算出した解像度に基づいて前記カメラモジュールの良否を判定することを特徴とする請求項１〜３の何れか１項に記載の解像度検査装置。
【発明の詳細な説明】
【技術分野】
【０００１】
本発明は、カメラモジュールの解像度を高精度で算出できる解像度検査装置に関する。
【背景技術】
【０００２】
従来より、小型で薄型のカメラモジュールが携帯電話機やＰＤＡ（Ｐｅｒｓｏｎａｌ  Ｄｉｇｉｔａｌ  Ａｓｓｉｓｔａｎｔ）等の小型、薄型の電子機器である携帯端末に搭載されるようになり、これにより遠隔地へ音声情報だけでなく画像情報も相互に伝送することが可能となっている。
【０００３】
このようなカメラモジュールを製造した後は各種の検査を行う。各検査の中で解像度の検査の場合は、検査すべきカメラモジュールで解像度検査用チャートを撮像して行う。解像度検査用チャートは複数の黒線と白線が交互に繰り返す解像度検査用パターンが中央と四隅に配置されている。カメラモジュールがこの解像度検査用パターンを撮像すると、その画像はパソコンに転送され、パソコンはコントラストの程度によって良否を判定する。
【０００４】
このような解像度検査用パターンを有する検査用チャートは特許公報に開示されている（例えば特許文献１参照）。
【０００５】
特許文献１の検査用チャートは解像度検査用領域（解像度検査用パターン）と色再現性検査用領域とを一つの検査用チャートに配置し、検査の生産性を向上させたものである。
【先行技術文献】
【特許文献】
【０００６】
【特許文献１】特開２００６−２４５８９１号公報
【発明の概要】
【発明が解決しようとする課題】
【０００７】
携帯電話機等の携帯端末の小型化に伴ってカメラモジュールも小型化が要求されている。このように小型化したカメラモジュールには、ＳＯＣ（Ｓｙｓｔｅｍ  ｏｎ  ａ  ｃｈｉｐ）センサやＩＳＰ（Ｉｍａｇｅ  Ｓｅｎｓｏｒ  Ｐｒｏｃｅｓｓｏｒ）を搭載したものがある。ＳＯＣは１枚のチップに撮像素子と画像処理回路が実装されたものであり、ＩＳＰは１枚のプリント配線板に撮像素子と画像処理回路が実装されたものである。
【０００８】
この様に画像処理回路が実装されたカメラモジュールにおいては、より自然に近い画像を出力するためにガンマ補正処理が施される。ガンマ補正処理は、画像情報である明度（輝度）、彩度及び色度等に対して非線形の画質アレンジを加える処理である。
【０００９】
ガンマ補正処理が施されたカメラモジュールについて解像度の検査を行う場合、解像度検査用パターンの輝度分布は線形性を保てなくなる。その結果、解像度検査用パターン面上の多少の輝度差、経時的な輝度変化、複数の検査装置を用いたときの輝度の微小な差等により、最終的に算出される解像度に差が生じ、バラツキが大きくなって検査精度の低下の一要因になっていた。
【００１０】
本発明はかかる問題に鑑みてなされたものであり、ガンマ補正処理が施されたカメラモジュールであっても、解像度の精度を低下させることなく検査できる解像度検査装置を提案することを発明の目的とする。
【００１１】
なお、特許文献１にはガンマ補正処理に関する記載はなく、まして上述の問題やこれを解決する課題についての記載はない。
【課題を解決するための手段】
【００１２】
上記目的は下記に記載した発明により達成される。
【００１３】
１．複数の解像度検査用パターンを有する解像度検査用チャートと、
検査すべきカメラモジュールにより撮像されガンマ補正処理が施された前記解像度検査用チャートの画像に対し、解像度を算出する制御装置と、
を備えた解像度検査装置であって、
前記制御装置は、前記画像に対しガンマ値が略１．０になるように逆ガンマ補正処理を施した後に解像度を算出することを特徴とする解像度検査装置。
【００１４】
２．複数の解像度検査用パターンを有する解像度検査用チャートと、
検査すべきカメラモジュールにより撮像されガンマ補正処理が施された前記解像度検査用チャートの画像に対し、解像度を算出する制御装置と、
を備えた解像度検査装置であって、
前記解像度検査用チャートは、ガンマ補正処理により非線形にならずに略線形を保つ前記画像の輝度領域に相当する輝度領域を設けた解像度検査用パターンを有することを特徴とする解像度検査装置。
【００１５】
３．前記解像度検査用チャートは少なくとも階調検査用パターンを有することを特徴とする前記１又は前記２に記載の解像度検査装置。
【００１６】
４．前記制御装置は算出した解像度に基づいて前記カメラモジュールの良否を判定することを特徴とする前記１〜３の何れか１項に記載の解像度検査装置。
【発明の効果】
【００１７】
本発明の解像度検査装置によれば、ガンマ補正処理が施されたカメラモジュールであっても、解像度の精度を低下させることなく検査することができる。
【図面の簡単な説明】
【００１８】
【図１】解像度検査装置の斜視図である。
【図２】解像度検査用チャートの正面図である。
【図３】解像度検査装置を用いて検査する手順のフローチャートである。
【図４】ガンマ補正の線図である。
【図５】異なる解像度検査用チャートの図である。
【発明を実施するための形態】
【００１９】
先ず、本発明の解像度検査装置の一例を図１の斜視図を参照して説明する。
【００２０】
解像度検査装置は、検査すべきカメラモジュール１で撮像する解像度検査用チャート１１、カメラモジュール１を保持する保持台１２、各種の制御を行うパソコン（制御装置）１３から構成される。
【００２１】
このカメラモジュール１は少なくとも撮像レンズと、ＣＣＤやＣＭＯＳ等から成る撮像素子と、撮像した画像を処理するＳＯＣやＩＳＰ等の画像処理回路を有する。
【００２２】
カメラモジュール１は保持台１２に載置され保持されると共に、保持台１２上の絵出しボード１２ａに電気的に接続される。絵出しボード１２ａはケーブル１４によってパソコン１３と接続し、パソコン１３の指令によりカメラモジュール１は解像度検査用チャート１１を撮像する。撮像した画像は絵出しボード１２ａのメモリに一時保管され、パソコン１３に伝送される。
【００２３】
解像度検査用チャート１１は衝立状に形成され、カメラモジュール１に対して例えば１ｍの距離で正対する。解像度検査用チャート１１には、例えば図２に示す如く、中央に位置する解像度検査用パターン１１ａと四隅に位置する解像度検査用パターン１１ｂ，１１ｃ，１１ｄ，１１ｅが配置されている。解像度検査用パターン１１ａ〜１１ｅは拡大図に示す如く、黒基準パッチ１１１、白基準パッチ１１２、複数の黒線と白線が同一幅で交互に繰り返して横に配置された垂直解像度パッチ１１３、及び複数の黒線と白線が同一幅で交互に繰り返して縦に配置された水平解像度パッチ１１４から成る。なお、黒線や白線の幅は、カメラモジュール１の撮像素子（ＣＣＤやＣＭＯＳ）の画素ピッチの整数倍に設定しないことが望ましい。
【００２４】
また、解像度検査用パターン１１ａの下方には、ＲＧＢの３色から成る色彩検査用パターン１１ｆと、黒、灰、白から成る階調検査用パターン１１ｇが配置されている。
【００２５】
このように、解像度検査用チャート１１には解像度検査用パターン１１ａ〜１１ｅ、色彩検査用パターン１１ｆ、及び階調検査用パターン１１ｇが配置されているので、１回の撮像で解像度検査、色彩検査及び階調検査を行うことができ、検査時間が短縮する。
【００２６】
次に、このような解像度検査装置を用いて検査する手順を図３のフローチャートを参照して説明する。
【００２７】
先ず、パソコン１３から開始信号を絵出しボード１２ａに出力する（Ｓ１）。
【００２８】
続いて、絵出しボード１２ａからカメラモジュール１を起動する（Ｓ２）。このカメラモジュール１は撮像した画像を処理するＳＯＣやＩＳＰ等の画像処理回路を有するので、カメラモジュール１がガンマ処理を含む画質良化のための画像処理設定を行うように初期設定する（Ｓ３）。
【００２９】
図４にガンマ補正の線図を示す。線形の線図αは原画像の入出力データであって、ガンマ値が１．０である。このデータを再生するディスプレイ等に合わせ、より自然に近い画像を出力するためにガンマ補正処理を施したものが曲線の線図βである。
【００３０】
続いて、カメラモジュール１は解像度検査用チャート１１を撮像し、撮像した画像にガンマ処理を含む画像処理を行う（Ｓ４）。そして、撮像した画像は絵出しボード１２ａを介してパソコン１３に送信され、解像度が算出され、カメラモジュール１の良否が判定される。
【００３１】
ここで、検査は解像度に加えて階調及び色度についても同時に行う。この際に、階調及び色度についてはガンマ補正処理が施された状態で検査することが望ましい。しかし、解像度に関してはガンマ補正処理が施されていると、線形性を保てなくなるので、解像度検査用パターン面上の多少の輝度差、経時的な輝度変化、複数の検査装置を用いたときの輝度の微小な差等により、最終的に算出される解像度に差が生じ、バラツキが大きくなって検査精度が低下する。
【００３２】
このために、パソコン１３は入力した画像に対して、先にガンマ補正処理を施したのと逆の逆ガンマ補正処理を施してガンマ値が略１．０になるようにする（Ｓ５）。そして、線図αの如く線形に戻ったデータに基づいて解像度を算出する（Ｓ６）。
【００３３】
パソコン１３は、算出した解像度を所定の基準値と比較して解像度の良否を判定する（Ｓ７）。同時に、階調及び色度についても良否を判定する。
【００３４】
以上の如く検査が終了すれば、パソコン１３は終了信号を絵出しボード１２ａを介してカメラモジュール１に出力する（Ｓ８）。
【００３５】
ここで、ガンマ補正処理を施した状態で輝度が変化したときの垂直解像度評価値の一例を表１に示す。
【００３６】
【表１】
2012010132.tif 000003
【００３７】
表１によれば、輝度変化に伴って垂直解像度評価値も変化してしまう。
【００３８】
なお、垂直解像度評価値は下記の式で算出する。
【００３９】
垂直解像度評価値＝垂直解像度検査パッチ／（白基準パッチ−黒基準パッチ）
次に、ガンマ補正処理を施した後に逆ガンマ補正処理を施した状態で輝度が変化したときの垂直解像度評価値の一例を表１に示す。
【００４０】
【表２】
2012010132.tif 000004
【００４１】
表１によれば、輝度変化が生じても垂直解像度評価値が変化することはない。
【００４２】
なお、水平解像度評価値についても同様の結果が得られる。
【００４３】
以上の如く、カメラモジュールで撮像した画像にガンマ補正処理を施した後に、パソコンで逆ガンマ補正処理を施すことにより、解像度検査用チャートに輝度の変化が生じても正確な解像度検査を行うことができる。
【００４４】
次に、以上と異なる形態の解像度検査装置について説明する。
【００４５】
図４において、カメラモジュールで撮像した画像にガンマ補正処理を施すと曲線の線図βになるが、線図βは全てが曲線で形成されるのではなく、入力値のＰ１とＰ２との間の如く略線形性を保っている所もある。このため、Ｐ１からＰ２までの輝度領域に相当する輝度領域を設けた解像度検査用パターンを有する解像度検査用チャートを用いれば、前述の如き逆ガンマ補正処理を施す必要はない。
【００４６】
このような解像度検査用チャートを図５に示す。
【００４７】
図５の解像度検査用チャート２１において、解像度検査用パターン２１ａ，２１ｂ，２１ｃ，２１ｄ，２１ｅは黒基準パッチ２１１、白基準パッチ２１２、複数の黒線と白線が同一幅で交互に繰り返して横に配置された垂直解像度パッチ２１３、及び複数の黒線と白線が同一幅で交互に繰り返して縦に配置された水平解像度パッチ２１４から成る。そして、黒基準パッチ２１１は図４のＰ１に相当する輝度に、白基準パッチ２１２は図４のＰ２に相当する輝度になるように形成されている。また、この解像度検査用チャート２１にもＲＧＢの３色から成る色彩検査用パターン２１ｆと、黒、灰、白から成る階調検査用パターン２１ｇが配置されている。
【００４８】
このようにガンマ補正処理により非線形にならずに略線形を保つ画像の輝度領域に相当する輝度領域を設けた解像度検査用パターンを有する解像度検査用チャートを用いることにより、逆ガンマ補正処理を施すことなく正確な解像度検査を行うことができる。
【００４９】
なお、ガンマ補正処理のデータが未知の場合は、実験データの例えば０から２５５の８ビット出力画像データに対して、入力値を５や１０刻みで変化させながら出力データをプロットし、線形部分を確認すればよい。
【符号の説明】
【００５０】
１  カメラモジュール
１１，２１  解像度検査用チャート
１１ａ，１１ｂ，１１ｃ，１１ｄ，１１ｅ，２１ａ，２１ｂ，２１ｃ，２１ｄ，２１ｅ  解像度検査用パターン
１１ｆ，２１ｆ  色彩検査用パターン
１１ｇ，２１ｇ  階調検査用パターン
１１１，２１１  黒基準パッチ
１１２，２１２  白基準パッチ
１１３，２１３  垂直解像度パッチ
１１４，２１４  水平解像度パッチ
１２  保持台
１３  パソコン
【図１】
2012010132.tif 000005
【図２】
2012010132.tif 000006
【図３】
2012010132.tif 000007
【図４】
2012010132.tif 000008
【図５】
2012010132.tif 000009